(57)【要約】【課題】  送信メッセージに対する返信である複数の受信メッセージを同時に引用して新しい送信メッセージを簡単に作成することができる情報通信端末を提供する。【解決手段】  送信メッセージ（図４（ｄ））に対する返信である複数の受信メッセージをまとめて表示する（図４（ｅ））。そして、コメント入力（図４（ｆ））において引用キーを押下すると、前記複数の受信メッセージの引用選択画面（図４（ｇ））となる。次に、引用したい受信メッセージを指定すると、それらがまとめて引用されたコメント入力画面（図４（ｈ））となる。ユーザは、その画面上で、新たに追加コメントを作成して、新しい送信メッセージを作成することができる。【選択図】  図４
2007241668.tif 000002
【特許請求の範囲】
【請求項１】
受信メッセージを格納する受信メッセージ記憶手段と、
送信メッセージに対する１または複数の返信である受信メッセージを検出する返信メッセージ検出手段と、
前記１または複数の返信メッセージのメッセージ内容を表示する表示制御手段と、
前記表示された１または複数の返信メッセージのメッセージ内容のうち、複数のメッセージを選択する操作手段と、
前記選択されたメッセージ内容を、新しく送信する新送信メッセージのメッセージ内容として引用する送信メッセージ作成手段とを
具備することを特徴とする情報通信端末。
【請求項２】
受信メッセージを格納する受信メッセージ記憶手段と、
送信メッセージに対する複数の宛先からの返信である受信メッセージを検出する返信メッセージ検出手段と、
前記複数の宛先からの返信メッセージのメッセージ内容を同時に表示する表示制御手段と、
前記表示された複数の宛先からの返信メッセージのメッセージ内容のうち、複数のメッセージを選択する操作手段と、
前記選択された複数のメッセージ内容を、送信メッセージのメッセージ内容として引用する送信メッセージ作成手段とを
具備することを特徴とする情報通信端末。
【発明の詳細な説明】
【技術分野】
【０００１】
本発明は、メッセージ機能を有する情報通信端末において、複数の受信メッセージの記事内容を同時に引用して新しい送信メッセージの記事内容を操作性よく作成することができる情報通信端末に関する。
【背景技術】
【０００２】
（背景技術１）
複数の利用者間で電子メールにより行われる議論を、ある１つの話題についてまとめて表示する電子メールシステムがある（例えば、特許文献１参照。）。この電子メールシステムでは、利用者（送信者）は送信した元メールを画面上で選択すると、元メールの内容および元メールに対する複数の返信メールの内容がまとめて表示される。これにより、利用者（送信者）は複数の利用者間で一連の電子メールにより行われる議論箇所を一目で見ることができる。
【０００３】
（背景技術２）
電子メールなど不特定多数のユーザにより交換される情報の検索方法がある（例えば、特許文献２参照。）。この検索方法では、ユーザが親のメールを指定し更に引用木の表示を指示すると、木構造作成部は、ヘッダ情報や親のメールの記事を引用した引用情報などから、親のメールに関連した複数のメールを抽出して木構造を作成する。そして、親メールと関連メールの記事内容を木構造状態で表示部にまとめて表示する。これにより、ユーザは、関連のメールを一覧的に見ることができる。
【特許文献１】特開２００２−９１８７６号公報（第６頁、図１３）
【特許文献２】特許第３４６５６１５号公報（第５〜６頁、図２〜図６）
【発明の開示】
【発明が解決しようとする課題】
【０００４】
従来の背景技術１および２では、ユーザは元メールや親メールに関連した複数のメールの内容をまとめて見ることはできる。しかし、ユーザがそれらの内容を見て、更に議論を継続したい場合、表示されている複数のメールの内容を複数件引用してメールを送信することについては記載がない。  
一般的な従来技術として、一つのメールの内容を引用する場合は、履歴付き返信等の機能により、ユーザは簡単に行うことができる。しかし、複数のメールの内容を複数件引用してメールを送信する場合は、ユーザは、個々のメールを表示して内容をコピーし、新しい送信メールを表示してそこに貼り付けるということを複数メール分繰り返す必要があり、きわめて手間が掛かるという問題があった。
【０００５】
本発明は、送信メッセージに対する返信である複数の受信メッセージを同時に引用して新しい送信メッセージを簡単に作成することができる情報通信端末を提供することを目的とする。
【課題を解決するための手段】
【０００６】
上記目的を達成するために、本発明の情報通信端末は、受信メッセージを格納する受信メッセージ記憶手段と、送信メッセージに対する１または複数の返信である受信メッセージを検出する返信メッセージ検出手段と、前記１または複数の返信メッセージのメッセージ内容を表示する表示制御手段と、前記表示された１または複数の返信メッセージのメッセージ内容のうち、複数のメッセージを選択する操作手段と、前記選択されたメッセージ内容を、新しく送信する新送信メッセージのメッセージ内容として引用する送信メッセージ作成手段とを具備することを特徴とする。
【発明の効果】
【０００７】
本発明によれば、関連メッセージを複数まとめて引用して新しい送信メッセージをユーザが簡単に作成することが可能となる。グループ同士の共通の話題をテーマにしたメッセージ通信などにおいては、共通の話題に関するメッセージをまとめて引用することが多くあり、そのような場合において、操作性を向上することができる。
【発明を実施するための最良の形態】
【０００８】
図１は、本発明の実施例に係る情報通信端末の構成図である。情報通信端末１００は、送信メッセージボックス１、受信メッセージボックス２、操作キー３、通信制御部４、アンテナ５、表示部６、主制御部７などによって構成される。更に、主制御部７は、送信メッセージ作成部８、返信メッセージ検出部９などによって構成される。
【０００９】
送信メッセージボックス１は、送信済みメッセージの記憶メモリである。受信メッセージボックス２は、受信したメッセージの記憶メモリである。操作キー３は、ユーザ操作用の入力手段である。通信制御部４およびアンテナ５は、図示しない基地局との間での無線通信の制御を行う。表示部６は、ＬＣＤ等により構成される表示手段である。主制御部７は、携帯端末１００の全体の制御を行う。
【００１０】
特に、本発明に関して、主制御部７の送信メッセージ作成部８は、新規の送信メッセージの作成や、受信メッセージに対する返信メッセージの作成処理を行う。主制御部７の返信メッセージ検出部９は、１つの送信メッセージに関連した返信である１乃至複数の受信メッセージの検出を行う。これは、１つの送信メッセージのヘッダ情報の送信者ＩＤと、受信メッセージのヘッダ情報の宛先人ＩＤを比較したり、また、メッセージ題名を比較したり、また、メッセージナンバーで管理すること、またはメッセージが蓄積されたサーバにアクセスすることにより、該当の受信メッセージを検出する。
【００１１】
図２は、本発明の実施例に係る情報通信端末のインスタントメッセージでの動作フローチャートである。  
図３および図４は、本発明の実施例に係る情報通信端末の一連の表示と操作を説明する図であり、図３の続きを図４に示す。  
図５は、本発明の実施例に係るインスタントメッセージのシステム図である。図２〜図５を用いて、動作を説明する。
【００１２】
インスタントメッセージ機能は、複数のメンバーがメッセージのやり取りを行う機能である。例えば、図５に示すように、インスタントメッセージ機能に参加したい相手に対して、メッセージサーバＳＶ４０のうちの1つのサーバを検索及び指定し、そのアドレスを参加メンバーに知らせる。そして参加メンバーは、指定されたサーバにアクセスすることによってメンバー間でのメッセージのやり取りができる。
【００１３】
具体的には、情報通信端末１００の使用者がグループのメンバーの情報通信端末２００、３００の使用者とメッセージのやり取りをしたい場合には、まず、情報通信端末１００は、基地局ＢＳ１０、ネットワークＮＷを経由して、メッセージのやり取りを行うサーバを検索し、サーバ５０を指定されたとする。その後、メンバーの情報通信端末２００、３００に対してそれぞれネットワークＮＷ、基地局ＢＳ２０、ＢＳ３０を経由してそのサーバ５０でインスタントメッセージ機能を開催する旨の通知（例えばメールによって送信する）とともにサーバ５０のアドレスを知らせる。そして、情報通信端末２００、３００はそれぞれサーバ５０に対してアクセスすることでインスタントメッセージ機能を実現することができる。
【００１４】
まず、情報通信端末１００の操作をすることによってインスタントメッセージ機能に入ると、情報通信端末２００のユーザである送信者（例えばＡさんとする）は、インスタントメッセージ画面（図３の（ａ））において、「お誘い」にカーソルを合わせて選択キーを押下する。画面下部の「終了」[選択]などの表示は、図示しない３個のキーに割り当てられる機能キーである。主制御部はこれらのインスタントメッセージ画面の表示、カーソルや選択キーの検知を行い（ステップＳ１）、次の処理へ移行する。
【００１５】
なお、このステップＳ１、図３（ａ）において、「お誘い」を選択すると、インスタントメッセージ機能における複数のメンバーを誘うために、それらのメンバーに対して例えばメールの発信を行う。また、「履歴」を選択すると、今までにインスタントメッセージ機能においてメッセージをやり取りした履歴（会話内容・メンバーの名前・会話時刻）が表示される。また、「ヒント」を選択すると、インスタントメッセージ機能の基本的な使い方が表示される。「設定」を選択すると、インスタントメッセージ機能の各種設定を変更することができる。
【００１６】
主制御部７がステップＳ１において、「お誘い」が選択されること、及び選択キーが押下されたことを検出すると、メンバーリスト画面（図３の（ｂ））が表示される。メンバーリスト画面において、予め登録されたメンバーである「Ａさん」、「Ｂさん」、「Ｃさん」が表示される。更に「状態」欄にそれぞれ「Ａさん」・「Ｂさん」・「Ｃさん」の端末の状態が表示される。
【００１７】
なお、「状態」欄は、インスタントメッセージ機能におけるサーバＳＶ４０にアクセス開始したときに各端末が状態記憶サーバＸに逐次状態を登録し、図３（ｂ）の表示画面に遷移したと判断された場合に状態記憶サーバＸよりそれぞれのメンバーの「状態」の情報を受信することによって表示可能となり、逐次更新される。インスタントメッセージ機能において複数のメンバーとやり取りを行うメンバー（ここでは、「Ａさん」、「Ｂさん」、「Ｃさん」とする）の選択がなされ、お誘いキーが押下されたことを検出すると（ステップＳ２）、次の処理へ移行する。
【００１８】
ステップＳ２において、お誘いキーが押下されたことを検出すると、通信中画面（図３の（ｃ））に移行し、サーバＳＶ４０のうちの１つのサーバを検索及び指定し（ここではサーバ５０を指定したものとする）、そのサーバ５０のアドレスを送信メール作成部８によって作成させ、参加メンバー（ここでは「Ａさん」、「Ｂさん」、「Ｃさん」）にメールによって通知させる（ステップＳ３）。
【００１９】
そして参加メンバーがインスタントメッセージ機能の参加を許可した場合、情報通信端末１００から送信されるメッセージはサーバ５０に蓄積され、そして、インスタントメッセージ機能の参加を許可したメンバー（「Ａさん」、「Ｂさん」、「Ｃさん」）はそのサーバ５０へ逐次メッセージを受信要求して、受信することによって情報通信端末１００が送信したメッセージが通知される。情報通信端末１００のメッセージ受信はこの逆で行われる。以下これらの動作を情報通信端末１００の同報通信と記す。また、サーバ５０に逐次（例えば1秒おき）アクセスして逐次情報を更新することは以降特に記載しない場合もある。なお、常時サーバ５０に接続することも可能である。
【００２０】
また、図３（ｃ）において、参加者表示Ｄ１は、「Ａさん」がサーバ５０にアクセスして、インスタントメッセージ機能に参加すると表示される。参加者表示Ｄ２、参加者表示Ｄ３も同様である。図３（ｃ）の表示では、「Ａさん」・「Ｂさん」・「Ｃさん」のいずれもがインスタントメッセージ機能に参加した状態の表示である。
【００２１】
次に、ステップＳ３においてメールによって通知したメンバーが１人以上参加したか否かを判断する（ステップＳ４）。そして、ステップＳ４の判断は、１人以上参加した場合は、ステップＳ５に移行する。また、そうでない場合は、ステップＳ４の処理を継続する。
【００２２】
次に、主制御部７はコメントキーの検知を行い（ステップＳ５）、検知された場合は次の処理へ移行する。なお、コメントキーの検知がなされると、図４の（ｄ）に示されるように、同報通信を行うメッセージを入力する画面を表示する。
【００２３】
ユーザは、同報通信を行うために、コメント入力画面（図４の（ｄ））において、文字キー操作により、コメント「みんな元気？久しぶりに遊びに行こうよ。」を入力し、送信キーを押下する。主制御部７は、これらのコメント入力画面の表示、文字キーや送信キーの検知を行い、「Ａさん」、「Ｂさん」、「Ｃさん」への同報通信を行い（ステップＳ６）、次の処理へ移行する。
【００２４】
次に、主制御部７は、サーバ５０に蓄積されたメッセージの受信処理を行い、前記送信メールに対する返信である複数の受信メールを、サーバ５０にアクセスすることによって検出する（ステップＳ７）。
【００２５】
そして、図４の（ｅ）に示すように、主制御部７は、送信メッセージ及び検出した受信メッセージの発信者名と本文をすべて表示する（ステップＳ８）。これにより、ユーザである送信者（花子さん）は、自分が送信した内容と、それに対するメンバー「Ａさん」、「Ｂさん」、「Ｃさん」からの返信である受信メッセージの内容をまとめて見ることができる。そして、ユーザが返信を行うとき（メッセージを再度送る時）はコメントキーを押下することによって返信できる。主制御部７は、コメントキーが押下されたか否かの検知を行い（ステップＳ８）、次の処理へ移行する。
【００２６】
ステップＳ８において、コメントキーが押下されると、図４（ｆ）のような表示画面（コメント入力画面）が表示される。このときユーザは、コメント入力画面（図４の（ｆ））において、引用キーを押下すると返信のメッセージを送信する際に受信されたメッセージの引用ができる。主制御部７は、コメント入力画面の表示の際に引用キーの検知を行い（ステップＳ９）、引用キーの押下が検知された場合は次の処理へ移行する。なお、引用キーではなく、通常の文字キーによるコメント入力・送信を行ってもよい。
【００２７】
次に、主制御部７は、ステップＳ９において引用キーの押下を検知すると、引用選択画面（図４の（ｇ））に示すような表示を行う。このとき、主制御部７は、インスタントメッセージ機能でやり取りされていたメッセージについてそれぞれのメンバー「Ａさん」、「Ｂさん」、「Ｃさん」からの一番新しい受信メッセージの内容をまとめて表示し、いずれか１つまたは複数のメッセージを引用選択できるように表示する。
【００２８】
ユーザは、カーソルや機能キー押下により、個別に、又は全件を引用選択する。この引用選択は、それぞれのチェックボックスをＯＮに選択すると引用することとし、ＯＦＦに選択すると引用しないこととすることができる。また、「全て」が選択された場合は、全てのメッセージのチェックボックスをＯＮに設定し、全てのメッセージを引用することができる。そして、このとき主制御部７は上記カーソルの移動、機能キーの押下、チェックボックスのＯＮ／ＯＦＦの選択などを検出し、それに応じて引用するメッセージを引用する制御を行う（ステップＳ１０）。以降の説明は、「全て」の引用が選択されたことを前提として説明する。
【００２９】
なお、このステップＳ１０における表示は、図４（ｇ）に示すような表示に限定されることなく、図４（ｇ２）に示されるようにそれぞれの引用メッセージに数字を表示するとともに、数字キーに割り当て、表示に対応する数字キーの押下を検出することによって引用のＯＮ／ＯＦＦを設定するようにしてもよい。
【００３０】
次に、ステップＳ１０において引用メッセージの選択制御が行われると、主制御部７は図４（ｈ）に示すように、コメント入力画面を表示する。また主制御部７は、選出された受信メッセージを引用マーク（＞）と共に表示する(ステップＳ１１)。ユーザは、このコメント入力画面において、文字キーによりコメントを追記することができる（図４の（ｉ））。主制御部７は、文字キーの入力を受けつけ、その入力情報に従って、文字を追加入力した送信メッセージ作成を行う(ステップＳ１２)。そして、送信キー操作があると、送信処理を実行する（ステップＳ１３）。
【００３１】
なお、インスタントメッセージ機能について説明したが、通常の送信メールに対する返信である複数の受信メールの同時引用に適用してもよい。その場合、図４の（ｄ）を通常の送信メールの開始として、図４の（ｅ）〜（ｉ）の処理を行えばよい。また、送信メッセージボックスから１つの送信メッセージを選択して、その送信メッセージに対する返信である複数の受信メッセージの同時引用に適用してもよい。その場合、送信メッセージボックスの表示画面から１つの送信メッセージを選択して図４の（ｄ）の表示を行い、その後、図４の（ｅ）〜（ｉ）の処理を行えばよい。
【００３２】
また、情報通信端末の内部の主制御部により制御を行ったが、本発明の機能を具備した制御プログラムを記憶したリムーバブルデバイスを情報通信端末で利用するようにしてもよい。その場合、この制御プログラムも本発明の対象となる。  
本発明の実施例によれば、送信メッセージに対する返信である複数の受信メッセージを同時にまとめて引用することができ、引用の操作性を大きく向上することが可能となる。
【図面の簡単な説明】
【００３３】
【図１】本発明の実施例に係る情報通信端末の構成図。
【図２】本発明の実施例に係る情報通信端末のインスタントメッセージでの動作フローチャート。
【図３】本発明の実施例に係る情報通信端末の一連の表示と操作を説明する図（１／２）。
【図４】本発明の実施例に係る情報通信端末の一連の表示と操作を説明する図（２／２）。
【図５】本発明の実施例に係るインスタントメッセージのシステム図。
【符号の説明】
【００３４】
１  送信メッセージボックス
２  受信メッセージボックス
３  操作キー
４  通信制御部
５  アンテナ
６  表示部
７  主制御部７
８  送信メッセージ作成部
９  返信メッセージ検出部
１０、２０、３０  基地局ＢＳ
４０、５０、６０、７０  サーバＳＶ
１００、２００、３００  情報通信端末
【図１】
2007241668.tif 000003
【図２】
2007241668.tif 000004
【図３】
2007241668.tif 000005
【図４】
2007241668.tif 000006
【図５】
2007241668.tif 000007